(57)【要約】【課題】竪樋に設けた被係合部に支持具の係合部位を簡単な操作で確実に係合させて竪樋を支持できるようにするとともに仮留めした竪樋を取り外す操作も簡易に行えるようにする。【解決手段】固定部材５の軸部５１に装着される円筒体３と、円筒体３の外周面に沿って回転自在に装着される端部に突片４３を有する外筒体４から、背面に凹溝１１を備えた竪樋１の竪樋支持具２を構成する。外筒体４を、その胴部４１の横断面外形を楕円形状とするなど、円形断面以外の形状に設けて、円筒体３周りでの回転操作状態が外側から目視で判別可能に構成する。【選択図】図７
2014173353.tif 000002
【特許請求の範囲】
【請求項１】
固定部材の軸部に装着される円筒体と、この円筒体の外周面に沿って回転自在に装着される外筒体を有し、固定部材で円筒体とともに建物の外壁に取り付けられた外筒体の端部に竪樋の背面に設けられた凹溝を係合させることにより竪樋を外壁に沿って支持する竪樋支持具であって、
前記外筒体は、その端部に前記円筒体が挿入される開口を挟んだ対向位置で当該開口面に沿って外方へそれぞれ突出していて前記竪樋の凹溝に係合する突片を備え、且つその胴部に同一横断面内で当該外筒体の中心から胴部外面までの寸法が異なる部分を有して形成されていることを特徴とする竪樋支持具。
【請求項２】
外筒体の胴部の横断面外形が略楕円形であることを特徴とする請求項１に記載の竪樋支持具。
【請求項３】
外筒体の突片が設けられた側の開口部内に円筒体の外面が係合する段部を設けたことを特徴とする請求項１又は２に記載の竪樋支持具。
【請求項４】
円筒体は、固定部材の頭部が没入する凹部を一側の端部に設けた前側筒部材と、当該前側筒部材の他側の端部に接続する後側筒部材を有することを特徴とする請求項１〜３の何れかに記載の竪樋支持具。
【発明の詳細な説明】
【技術分野】
【０００１】
本発明は、建物の外壁に沿って竪樋を支持して支持位置に固定する竪樋支持具の構造に関する。
【背景技術】
【０００２】
背面に凹溝を設けて形成された竪樋を建物の外壁に固定する支持具として、例えば図９に示されるように、先端に突片１００ａが固定された軸部１００ｂを建物の外壁面に水平軸廻りに回転し得るように取り付け、竪樋１０１の凹溝１０１ａ内に軸部１００ｂの先端を配置した状態で突片１００ａが横向きになるように軸部１００ｂを回転して凹溝１０１ａに突片１００ａを係合させることにより、竪樋１０１を支持具１００に取り付けて外壁に固定する構成のものが知られている（例えば特許文献１，２参照）。
【先行技術文献】
【特許文献】
【０００３】
【特許文献１】実開昭５９−６９３４０号公報
【特許文献２】実開昭６２−５４１３０号公報
【発明の概要】
【発明が解決しようとする課題】
【０００４】
図示した従来の支持具１００は、突片１００ａが固定された軸部１００ｂが細くて指先で摘み難く、突片１００ａの回転操作がし難いため取り付けに手間を要するという問題がある。
また、従来の支持具１００では、凹溝１０１ａ内に軸部１００ｂの先端を配置した状態で、突片１００ａが凹溝１０１ａに係合しているか外れているか、つまり突片１００ａが横向きの位置か、それとも縦向きの位置にあるかが、外側から接続部分を見ても判別することができない。竪樋１０１の取り付けにあたっては、竪樋１０１を支持具１００に支持させて仮留めした状態で竪樋１０１の設置長さや集水器との連結部分の収まりなどを確認し、一旦竪樋１０１を支持具１００からを取り外して調整作業や軒先廻りの他の工事を行った後、再び竪樋１０１を支持具１００に取り付けることがよく行われる。前記の如く突片１００ａと凹溝１０１ａとの係合状態が外側から判別できないのでは係合の解除操作を手探りで行う外なく、竪樋１０１の取り外し作業が極めて面倒なものとなる。
【０００５】
本発明は従来技術の有するこのような問題点に鑑み、竪樋に設けた被係合部に支持具の係合部位を簡単な操作で確実に係合させて竪樋を支持することができ、仮留めした竪樋を取り外す操作も簡易に行えるようにして、竪樋を取り付ける作業性の向上を図ることを課題する。
【課題を解決するための手段】
【０００６】
前記課題を解決するため本発明の竪樋支持具は、固定部材の軸部に装着される円筒体と、この円筒体の外周面に沿って回転自在に装着される外筒体を有し、固定部材で円筒体とともに建物の外壁に取り付けられた外筒体の端部に竪樋の背面に設けられた凹溝を係合させることにより竪樋を外壁に沿って支持する支持具であって、前記外筒体は、その端部に前記円筒体が挿入される開口を挟んだ対向位置で当該開口面に沿って外方へそれぞれ突出していて前記竪樋の凹溝に係合する突片を備え、且つその胴部に同一横断面内で当該外筒体の中心から胴部外面までの寸法が異なる部分を有して形成されていることを特徴とする。前記突片は、その長手幅が凹溝に係合する大きさの寸法、短手幅が凹溝の開口面の幅よりも小さな寸法に設定される。
【０００７】
本発明の竪樋支持具は、外周面に外筒体が装着された円筒体に、ネジや釘などの固定部材の軸部を挿通し、固定部材の先端部を建物の外壁にネジ入れ或いは打ち付けることにより建物の外壁面に取り付けられる。取り付け位置で円筒体はその開口端部に固定部材の頭部が係合して固定部材と一体に外壁に固定され、外筒体は円筒体の外周面に回転自在に保持される。
そして、竪樋支持具の先端部である外筒体の突片を縦向きにしておき、この突片が竪樋の背面に設けられた凹溝内に進入するように竪樋を外壁面に近づけて配置し、その状態で突片が横向きになるように外筒体を回転させれば、突片が凹溝に係合して竪樋を竪樋支持具に支持させることができる。
凹溝への突片の係合操作は外筒体を回転することにより行われるが、外筒体は固定部材の軸部が挿通された円筒体の外周面に装着されて、固定部材よりも太く形成されているので、外筒体の胴部周面を指先で摘んで所望の方向に簡単に回転操作することができる。
また、外筒体の胴部が、同一横断面内でその中心から胴部外面までの寸法が異なる部分を有して形成されており、つまり胴部の横断面外形が円形ではなく、外筒体が回転したときに、回転前の位置と回転後の位置とで胴部の外観が変わるように設けてあるので、胴部の外観の変化から外筒体が回転操作されて突片が凹溝に係合しているか、それとも回転操作されないで突片が凹溝内から外れた位置にあるかが、外筒体の胴部の外観を目視で確認することで容易且つ正確に判別することが可能となる。
【０００８】
前記構成の竪樋支持具において、外筒体は回転の前後でその胴部の外観が異なる適宜な形状、例えば外筒体の胴部の横断面外形が略楕円形となるように設けるなどして形成することができる。胴部を多角断面形状に設けたり、胴部の外面に凸筋や凹溝、凹凸部を設けたり或いは回転の目印となる突起などを刻設したりしてもよい。
【０００９】
また、前記構成の竪樋支持具において、外筒体の突片が設けられた側の開口部内に円筒体の外面が係合する段部を設けて構成することができる。これによれば、固定部材をその頭部を円筒体の開口端部に係合させて円筒体内に挿通し、この円筒体の外面を外筒体の段部に係合させて外筒体内に挿入し、各部材を同心に組み合わせて、支持具を壁面に取り付けることができる。
さらに、前記構成の竪樋支持具において、円筒体は固定部材の頭部が没入して係合する凹所を一側の端部に設けた前側筒部材と、当該前側筒部材の他側の端部に接続する後側筒部材との分割構造とすることができる。この場合、後側筒部材をその一側の端部が他側の端部に係合する形状に形成して、複数の後側筒部材を列状に継ぎ合わせることができるように設ければ、後側筒部材の継ぎ合わせ数によって外筒体に係合する竪樋の外壁面からの出寸法を調整することが可能となる。
【図面の簡単な説明】
【００１０】
【図１】本発明の一実施形態の竪樋支持具と建物の外壁に取り付けられた竪樋の側面図である。
【図２】図１中のＩＩ−ＩＩ線に沿った切断端面図である。
【図３】円筒体を構成する前側部材の外観図（Ａ）と縦断面図（Ｂ）である。
【図４】円筒体を構成する後側部材の外観図（Ａ）と縦断面図（Ｂ）である。
【図５】外筒体の外観図（Ａ）と、（Ａ）図中のＶＢ−ＶＢ線に沿った断面図（Ｂ）及び同ＶＣ−ＶＣ線に沿った断面図（Ｃ）である。
【図６】図１の竪樋支持具と固定部材の組み合わせ構成を示した外観図である。
【図７】図１の竪樋支持具に竪樋を支持させる際の支持具の操作を説明するための図である。
【図８】（Ａ），（Ｂ）は外筒体の他の形態を示す外観図である。
【図９】（Ａ），（Ｂ）は従来の竪樋支持具の構成を示した図である。
【発明を実施するための形態】
【００１１】
本発明の好適な実施形態を、図面を参照して説明する。
図１は建物の外壁面を断面で示した竪樋とこれを支持する竪樋支持具の側面、図２は竪樋と支持具の断面をそれぞれ示しており、図中、符号１は竪樋、２は竪樋支持具、５はコーススレッドネジからなる固定部材、６は建物の外壁である。
【００１２】
竪樋１は、略正方形断面を呈する管材であり、図７に示されるように、その背面に、鍵状の凸部１１ａ，１１ａを向かい合わせて当該背面の長手方向に沿って突設してなる凹溝１１を一体に設けて、軒から地面に至る長さに形成してある。竪樋１は、合成樹脂材やアルミニウムなどの鋼材を用いて形成することができる。
【００１３】
竪樋支持具２は、射出成形による合成樹脂成形品であり、固定部材５の軸部が貫通する通孔を内部に有する円筒体３と、円筒体３の外周面に装着される外筒体４により構成してある。
【００１４】
詳しくは、円筒体３は、互いに分離可能な前側筒部材３１と後側筒部材３２を組み合わせて構成してある。
前側筒部材３１は、図３に示されるように、大径円筒部３１ａと小径円筒部３１ｂを一体に連ね、且つその中央に固定部材５の軸部５１が貫通する通孔３１ｃを設けた形状に形成してある。大径円筒部３１ａの開口端部には固定部材５の頭部５１が係合する凹所３１ｄを設けてあり、また、小径円筒部３１ｂの端部には後側筒部材３２の開口端部に係入する差口３１ｅを設けてある。
後側筒部材３２は、図４に示されるように、前側筒部材の３１の小径円筒部３１ａと同じ外径に設定された小径円筒部３２ａと、前側筒部材の３１の大径円筒部３１ｂよりも若干大きな外径に設定された大径円筒部３２ｂを一体に連ね、且つその中央に固定部材５の軸部５１が貫通する通孔３２ｃを設けた形状に形成してある。小径円筒部３２ａの開口端部には、前側筒部材３１の差口３１ｅが差し入れられる受口３２ｄを設けてある。また、大径円筒部３２ｂの開口端部には、小径円筒部３２ａを嵌入可能な大きさの凹部３２ｅを設けてあり、この凹部３２ｅに臨む前記通孔３２ｃの端縁部には通孔３２ｃ内に挿通させた固定部材５の軸部５１が抜けることを防止する突起状の返し３２ｆを設けてある。
円筒体３は、後側筒部材３２の受口３２ｄに前側筒部材３１の差口３１ｅを差し込んで一体に組み立てられ、前後筒部材の通孔３１ｃ，３２ｃ内に固定部材５の軸部５１が挿通されるとともに、前後筒部材の外周面に外筒体４が装着されるようになっている。また、円筒体３の後側筒部材３２の凹部３２ｅに他の後側筒部材３２の小径円筒部３２ａを嵌め入れて、後側筒部材３２同士を直列に継ぎ合わせて接続できるようになっている（図６参照）。
【００１５】
外筒体４は、図５に示されるように、円筒体３よりも太幅な筒状部材であり、横断面外形が略楕円形を呈する胴部４１の中央に、円筒体３の小径円筒部３１ｂ，３２ａが挿通する円形断面の通孔４２を設けるとともに、胴部４１の一側の開口端部に、当該開口を挟んだ対向位置で当該開口面に沿って外方へそれぞれ突出していて竪樋１の凹溝１１に係合する突片４３を一体に設けて形成してある。
突片４３は、その長手幅が凹溝１１に係合する大きさの寸法、短手幅が凹溝１１の開口面の幅よりも小さな寸法に設定して、前記長手幅を胴部４１の長手幅と平行に揃えて突出させてある。また、外筒体４の突片４３が設けられた側の開口端部内には、円筒体３の前側筒部材３１の大径円筒部３１ａが係合する段部４４を設けてある。さらに、胴部４１の短手幅（Ｄ１）は、円筒体３の小径円筒部３１ｂ，３２ａの外径（Ｄ２）と略同じとしてある（図５（Ｃ）、図４（Ｂ）参照）。
【００１６】
本形態の竪樋支持具２は、図６に示されるように、固定部材５の軸部５１を円筒体３の前側筒部材３１に挿通し、この前側筒部材３１を外筒体４の突片４３が設けられた側の開口端部から通孔４２内に差し入れる一方、他側の開口端部から円筒体３の後側筒部材３２を差し入れて、通孔４２内で前後筒部材を継ぎ合わせて接続することにより円筒体３及び外筒体４が固定部材５の軸部５１に組み付けられ、この状態で固定部材５の先端部を建物の外壁６にネジ入れることにより竪樋支持具２を外壁６に取り付けることができる。
この場合に、同図に示されるように、円筒体３の後側筒部材３２に継ぎ合わせる後側筒部材３２の個数に応じて、外筒体４に係合する竪樋１の外壁６からの出寸法を調整することができる。
取り付け位置で竪樋支持具２の円筒体３は、その開口端部に設けた凹所３１ｄに固定部材５の頭部５２が係合して固定部材５と一体に外壁６に固定され、また、外筒体４は円筒体３の外周面に回転自在に保持される。
【００１７】
竪樋支持具２は、竪樋１が取り付けられる外壁６に、その軒から地面に亘って上下に互いに適宜な間隔を開けて複数個が取り付けられ、竪樋１を取り付ける際には、図７に示されるように、各竪樋支持具２の先端部である外筒体４の突片４３を縦向きにしておき、各突片４３が竪樋１の凹溝１１内に進入するように竪樋１を外壁６に近づけて配置し、その状態で突片４３が横向きになるように各外筒体３を周方向に９０度回転させれば、突片４３が凹溝１１に係合し、竪樋１が各支持具２に支持されて外壁６に沿って取り付けられる。
【００１８】
このとき、凹溝１１への突片４３の係合操作は外筒体４を回転することにより行われるが、外筒体４は固定部材５の軸部５１が挿通された円筒体３の外周面に装着されて太く形成してあるので、外筒体４の胴部４１の周面を指先で確実に摘んで、所望の方向に簡単に回転操作することができる。
【００１９】
外筒体４の突片４３が横向きとなって凹溝１１内に係合している状態で竪樋支持具２をその側面から見ると、図１及び図７に示されるように、外筒体４の上下面と円筒体３の外壁６側の端部上下面が凹凸のない略面一の連続面に揃うため、この竪樋支持具２の側面外観を見て、竪樋１の凹溝１１内に外筒体４の突片４３が係合していることを判別することができる。
また、竪樋１を竪樋支持具２から取り外すときは、外筒体４を前記とは逆方向に９０度回転させれば、突片４３が縦向きになって凹溝１１との係合が外れた状態となり、この状態で支持具２をその側面から見ると、図７に示されるように、外筒体４の上下面と円筒体３の外壁６側の端部上下面との間に段差ができるため、これを見て竪樋１の凹溝１１から外筒体４の突片４３が外れていることを判別することができる。各竪樋支持具２の突片４３を縦向きに揃えっていることが確認されたならば、竪樋１を外壁６から離れるように移動させれば、竪樋１はそのまま竪樋支持具２から分離して取り外される。
【００２０】
なお、図示した竪樋支持具２を構成する円筒体３と外筒体４は本発明の実施形態の一例を示すものであり、本発明は図示した形態のものに限定されず、他の適宜な形態で構成することが可能である。円形断面の竪樋の支持にも適用することができる。
また、外筒体４は、その突片４３と竪樋１の凹溝１１との係合状態が、円筒体３の周面廻りで回転させたときの外観の違いから判別可能であれば、他の適宜な形状、例えば図８（Ａ）に示されるように胴部４１を多角断面形状に設けたり、同図（Ｂ）に示されるように胴部４１の外面に凸筋を設けたりした形状に設けることができる。
【符号の説明】
【００２１】
１  竪樋、１１  凹溝、２  竪樋支持具、３  円筒体、３１  前側筒部材、３２  後側筒部材、４  外筒体、４１  胴部、４３  突片、５  固定部材、５１  軸部、５２  頭部、６  外壁
【図１】
2014173353.tif 000003
【図２】
2014173353.tif 000004
【図３】
2014173353.tif 000005
【図４】
2014173353.tif 000006
【図５】
2014173353.tif 000007
【図６】
2014173353.tif 000008
【図７】
2014173353.tif 000009
【図８】
2014173353.tif 000010
【図９】
2014173353.tif 000011